(57)【特許請求の範囲】
【請求項１】
縞柄を有する固定透過板と前記縞柄に対応する縞柄を有する可動透過板とを重ね合わせて組付けると共に、固定透過板と可動透過板との両縞柄が透視状態となるように組み合わされる第１の位置と、前記両縞柄が遮蔽状態となるように組み合わされる第２の位置との一方から他方に、前記可動透過板を所定方向に所定ストローク移動させる操作手段を備えた透視パネルにおいて、前記操作手段は、前記第１の位置に対応する第１操作位置と前記第２の位置に対応する第２操作位置との一方から他方へ所定範囲移動する操作部を備えると共に、操作部の前記所定範囲の移動を可動透過板の前記所定ストロークの移動に変換する伝動部を備え、前記第１の位置と前記第１操作位置との対応位置関係、又は前記第２の位置と前記第２操作位置との対応位置関係を調整するため、前記伝動部の設置位置もしくは前記操作部の設置位置、又は前記伝動部の可動透過板を駆動する駆動点の位置を調整可能とすることを特徴とする透視パネル。
【請求項２】
固定透過板は枠部材に固定され、可動透過板は枠部材内に配設され、枠部材に設けた操作手段により移動せしめられるように構成された請求項１記載の透視パネル。
【請求項３】
操作部は可動透過板の移動方向と直角方向に所定ストローク直進動するように枠部材に取付けられ、伝動部は操作部に固定された傾斜面を有する直進動カムと、前記傾斜面に当接摺動する被駆動点を有すると共に可動透過板の端面に当接摺動する駆動点を有する回動レバーとからなり、前記回動レバーはその回動中心軸位置が前記直進動カムに対し位置調整可能に枠部材に取付けられている請求項２記載の透視パネル。
【請求項４】
回動レバーは、その回動中心軸から前記被駆動点までの距離が、前記回動中心軸から前記駆動点までの距離より大となるように構成された請求項３記載の透視パネル。
【請求項５】
可動透過板に、細長い孔又は溝状の被駆動ライン部を形成し、操作手段は前記被駆動ライン部に挿入される駆動ピンを有し、駆動ピンを前記被駆動ライン部内において摺動させることにより操作部の所定の範囲の移動を可動透過板の所定ストロークの移動に変換しうるようにして前記伝動部を構成した請求項１又は２記載の透視パネル。
【請求項６】
可動透過板に被駆動ピンを固定し、操作手段は細長い孔又は溝状の駆動ライン部と前記操作部とを設けたスライダーを有し、前記駆動ライン部をこの内部に挿入した前記被駆動ピンに対し摺動させることにより操作部の所定範囲の移動を可動透過板の所定ストロークの移動に変換しうるようにして前記伝動部を構成した請求項１又は２記載の透視パネル。
【請求項７】
可動透過板に移動方向に細長い孔又は溝状の被案内ライン部を複数設け、前記各被案内ライン部に挿入されるガイドピンを有するガイド手段を枠部材に取付け、可動透過板が前記複数のガイドピンにより移動方向に案内支持されるように構成された請求項２記載の透視パネル。
【請求項８】
ガイド手段の枠部材に対する取付け位置を調整可能に構成した請求項７記載の透視パネル。
【請求項９】
可動透過板にガイドピンを複数設け、前記各ガイドピンが挿入されかつ可動透過板の移動方向に細長い孔又は溝状に形成された案内ライン部を有するガイド手段を枠部材に取付け、可動透過板が前記案内ライン部により移動方向に案内支持されるように構成された請求項２記載の透視パネル。
【請求項１０】
ガイド手段は各ガイドピンに対応するように複数設けられ、その少なくとも１つのガイド手段は枠部材に対する取付け位置が調整可能に構成されている請求項９記載の透視パネル。
【請求項１１】
可動透過板が上下方向に移動するように構成された請求項１〜１０のいずれかに記載の透視パネル。
【請求項１２】
固定透過板と可動透過板との間に滑り性を高めるテープ状部材を介在させた請求項１〜１１のいずれかに記載の透視パネル。
【請求項１３】
請求項１〜１２のいずれかに記載の透視パネルを収納ボックスの扉として用い、ボックス内面側の透過板を可動透過板とし、外面側の透過板を固定透過板とした収納ボックス。
【請求項１４】
扉の下端面より操作部を操作できるように構成された請求項１３記載の収納ボックス。
【発明の詳細な説明】
【０００１】
【発明の属する技術分野】
本発明は、システムキッチンの収納ボックスの扉等に用いられる透視パネルに関するものである。
【０００２】
【従来の技術】
従来、収納ボックスの扉や間仕切り等に用いる透視パネルとして、例えば特開平３−１２２３４０号公報に示すものが提案されている。この透視パネルは、透明ストライプと不透明ストライプとを同一ピッチで交互に形成した縞柄を有する透過板を前後２枚重ね合わせて組付け、一方の透過板を固定透過板とし、他方を可動透過板として、固定透過板と可動透過板との両縞柄が透視状態となるように組み合わされる位置と、前記両縞柄が遮蔽状態となるように組み合わされる位置との一方から他方に、可動透過板をスライドさせる操作機構を備えたものである。
【０００３】
【発明が解決しようとする課題】
しかしながら従来の透視パネルにおいて、前側の固定透過板に対し後側の可動透過板の初期設定位置に誤差がある場合には、透視状態において、前側の不透明ストライプに対し、後側の不透明ストライプの位置がずれ、その辺部がはみ出し、見栄えが悪くなったり、透視面積を狭めるという欠点があった。
【０００４】
前記可動透過板の初期設定位置は、固定透過板と可動透過板との組付け精度および可動透過板と操作機構との関係位置精度を向上させることにより所期の位置に定めることができるが、このためには各構成部品の精度向上、組付け工程の精度向上が高度に要求され、高コストになるという問題があった。
【０００５】
本発明は上記従来例の欠点を是正し、前後不透明ストライプ間の位置ずれを防ぎ見栄え良く透視状態の良い透視パネルを低コストで提供することを課題とする。
【０００６】
【課題を解決するための手段】
本発明は上記課題を解決するため、縞柄を有する固定透過板と前記縞柄に対応する縞柄を有する可動透過板とを重ね合わせて組付けると共に、固定透過板と可動透過板との両縞柄が透視状態となるように組み合わされる第１の位置と、前記両縞柄が遮蔽状態となるように組み合わされる第２の位置との一方から他方に、前記可動透過板を所定方向に所定ストローク移動させる操作手段を備えた透視パネルにおいて、前記操作手段は、前記第１の位置に対応する第１操作位置と前記第２の位置に対応する第２操作位置との一方から他方へ所定範囲移動する操作部を備えると共に、操作部の前記所定範囲の移動を可動透過板の前記所定ストロークの移動に変換する伝動部を備え、前記第１の位置と前記第１操作位置との対応位置関係、又は前記第２の位置と前記第２操作位置との対応位置関係を調整するため、前記伝動部の設置位置もしくは前記操作部の設置位置、又は前記伝動部の可動透過板を駆動する駆動点の位置を調整可能とすることを特徴とする。
【０００７】
上記構成によれば、操作手段の伝動部の設置位置もしくは操作部の設置位置、又は伝動部の可動透過板を駆動する駆動点の位置を調整することにより、操作部の第１操作位置（又は第２操作位置）に対する可動透過板の固定透過板に対する初期設定位置（第１の位置又は第２の位置）を調整することができる。このため透視パネルの最終組付け段階において、前記初期設定位置における前後不透明ストライプ間に位置ずれがある場合に、前記調整作業により容易にその位置ずれを是正して、見栄えが良く透視状態の良い透視パネルとすることができる。
【０００８】
そして最終組付け段階において上記調整作業を行えば所期の透視パネルを得ることができるため、各構成部品の精度や組付け工程の精度は高度であることを要求されず、低コストで上記透視パネルを製造することができる。
【０００９】
本発明の透視パネルを、固定透過板は枠部材に固定され、可動透過板は枠部材内に配設され、枠部材に設けた操作手段により移動せしめられるように構成されたものとすると、システムキッチンの収納ボックスの扉等に適用するのに適したものとなる。
【００１０】
又本発明の透視パネルにおいて、操作部は可動透過板の移動方向と直角方向に所定ストローク直進動するように枠部材に取付けられ、伝動部は操作部に固定された傾斜面を有する直進動カムと、前記傾斜面に当接摺動する被駆動点を有すると共に可動透過板の端面に当接摺動する駆動点を有する回動レバーとからなり、前記回動レバーはその回動中心軸位置が前記直進動カムに対し位置調整可能に枠部材に取付けられているように構成すると、操作部の往復直進動で、可動透過板を上記第１の位置と第２の位置の一方から他方に容易に移動させることができると共に、前記初期設定位置の調整作業を容易に行うことができる。
【００１１】
上記構成において、回動レバーは、その回動中心軸から前記被駆動点までの距離が、前記回動中心軸から前記駆動点までの距離より大となるように構成されたものとすると、操作部の操作力が軽減されて、スムースに可動透過板を移動させることができる。
【００１２】
なお、操作部をレバーや回動体により構成し、これらの回動運動により可動透過板を上記のように移動させることができ、その際レバーや回動体の取付け位置を調整可能に構成するとよい。
【００１３】
本発明の透視パネルにおいて、可動透過板に、細長い孔又は溝状の被駆動ライン部を形成し、操作手段は前記被駆動ライン部に挿入される駆動ピンを有し、駆動ピンを前記被駆動ライン部内において摺動させることにより操作部の所定の範囲の移動を可動透過板の所定ストロークの移動に変換しうるようにして前記伝動部を構成すると好適である。
【００１４】
あるいは本発明の透視パネルにおいて、可動透過板に被駆動ピンを固定し、操作手段は細長い孔又は溝状の駆動ライン部と前記操作部を設けたスライダーを有し、前記駆動ライン部をこの内部に挿入した前記被駆動ピンに対し摺動させることにより操作部の所定範囲の移動を可動透過板の所定ストロークの移動に変換しうるようにして前記伝動部を構成すると好適である。
【００１５】
上記２例のいずれもは、可動透過板に被駆動ライン部や被駆動ピンを設けて前記伝動部の一部を構成するようにしているため、構造の簡素化を図るのに都合が良く、また可動透過板の位置規制を重力やバネなどに頼らずに規制できるという利点を有している。
【００１６】
本発明の透視パネルにおいて、可動透過板に移動方向に細長い孔又は溝状の被案内ライン部を複数設け、前記各被案内ライン部に挿入されるガイドピンを有するガイド手段を枠部材に取付け、可動透過板が前記複数のガイドピンにより移動方向に案内支持されるように構成すると好適である。
【００１７】
あるいは本発明の透視パネルにおいて、可動透過板にガイドピンを複数設け、前記各ガイドピンが挿入されかつ可動透過板の移動方向に細長い孔又は溝状に形成された案内ライン部を有するガイド手段を枠部材に取付け、可動透過板が前記案内ライン部により移動方向に案内支持されるように構成すると好適である。
【００１８】
上記２例のいずれもは、可動透過板に被案内ライン部やガイドピンを設けて、可動透過板をその移動方向に案内できるように構成しているため、可動透過板の案内のための構造を簡素化することができる。
【００１９】
そして、前者の例において、ガイド手段の枠部材に対する取付け位置を調整可能に構成し、あるいは後者の例において、ガイド手段は各ガイドピンに対応するように複数設けられ、その少なくとも１つのガイド手段は枠部材に対する取付け位置が調整可能に構成されていると、次のような問題点を解決することができる。
【００２０】
すなわち、固定透過板に対し可動透過板が傾斜した状態で組付けられている場合には、透視状態において、前側の不透明ストライプに対し後側の不透明ストライプの両側部が斜めにはみ出して見え、見栄えが悪くなるという欠点があったが、上記構成により可動透過板の不透明ストライプが固定透過板のそれに並行（平行）となるように調整することができ、容易に上記欠点を是正することができるのである。
【００２１】
本発明の透視パネルにおいて、可動透過板の移動方向を水平方向等種々の方向に定めることができるが、その方向を上下方向とすると、操作手段による可動透過板の位置決めを、可動透過板の自重を利用して行うことができるようになり、操作手段の構造を簡素化することができる。
【００２２】
本発明の透視パネルにおいて、固定透過板と可動透過板との間に滑り性を高めるテープ状部材を介在させると、可動透過板の移動がスムースになり、操作手段の操作部の操作が軽快となる。
【００２３】
本発明の透視パネルは、間仕切り等種々の用途に適用することができるが、特に本発明の透視パネルを収納ボックスの扉として用い、ボックス内面側の透過板を可動透過板とし、外面側の透過板を固定透過板とした収納ボックスに適用すると好適である。
【００２４】
そして、本発明を上記収納ボックスに適用したとき、扉の下端面より操作部を操作できるように構成すると、システムキッチンの流し台上方の壁面に設置される収納ボックス用として使用上好適である。なお、前記操作部を扉の内面（裏面）に配置して、外部からは見えないようにすることも可能である。
【００２５】
【発明の実施の形態】
本発明の実施形態を図面を参照しつつ説明する。
【００２６】
図１はシステムキッチン２を示すが、その流し台５０の上方の壁面に固定された収納ボックス３の扉４に、本発明の透視パネル１が用いられている。
【００２７】
扉４は図１、図２に示すように、ボックス本体５１にヒンジ５３を介して取付けられてある。扉４は本発明の透視パネル１によって主構成され、それ以外に把手５２などを備えている。
【００２８】
前記透視パネル１は、図３に示すように枠部材１１と、枠部材１１に固定された矩形状の固定透過板７ａと、枠部材１１内に上下動可能に配置された矩形状の可動透過板７ｂとを備えると共に、前記可動透過板７ｂが枠部材１１に設けた操作手段８により上下動せしめられるように構成されている。
【００２９】
扉外面側（前側）に位置する固定透過板７ａは、無色の透明ガラス板に多数本の水平方向の不透明ストライプ１０ａが、上下方向に間隔を置いて一定ピッチＰ、例えば３ｍｍでスクリーン印刷等を用いて印刷されてなるものである。従って、固定透過板７ａは、前記多数本の不透明ストライプ１０ａと、その間に現れるガラス生地そのままの多数本の透明ストライプ９ａとからなる縞柄を有している。
【００３０】
扉内面側（後側）に位置する可動透過板７ｂは、無色の透明アクリル板に多数本の水平方向の不透明ストライプ１０ｂが上下方向に間隔を置いて前記ピッチＰと同一ピッチでスクリーン印刷等を用いて印刷されてなるものである。従って、可動透過板７ｂは、前記多数本の不透明ストライプ１０ｂと、その間に現れるアクリル生地そのままの多数本の透明ストライプ９ｂとからなる縞柄を有している。
【００３１】
固定透過板７ａおよび可動透過板７ｂの各ストライプ１０ａ、１０ｂ、９ａ、９ｂは全て同一幅に形成され、具体的にはこれらの幅をそれぞれ１．５ｍｍとしている。
【００３２】
前記枠部材１１は、図３（ｃ）にその断面形状を示すアルミ型材からなる上辺材１１ａおよび下辺材１１ｂと、断面形状がコ形のアルミ型材からなる左辺材１１ｃおよび右辺材１１ｄとを組付け固定して構成されている。上辺材１１ａの前側の垂下片部６１と下辺材１１ｂの前側の立上片部６２との内面（後面）側には前記固定透過板７ａの上、下辺部が接着固定されている。上辺材１１ａの後側において垂下するように形成された断面矩形状の上ボックス構造部６３と、下辺材１１ｂの後側において立上るように形成された断面矩形状の下ボックス構造部６４との内面（前面）は、前記可動透過板７ｂの外面（後面）に接する案内面となっている。
【００３３】
固定透過板７ａと可動透過板７ｂとは、上記のように枠部材１１内に配されると共に、可動透過板７ｂの前面両側端部に貼着した滑り性を高めるテープ状部材（図示省略）を介して両者が重なり合うように組みつけられる。可動透過板７ｂは枠部材１１に設けた操作手段８により、前記ピッチＰだけ上下動されるように構成され、図３（ｂ）に示すように、両透過板７ａ、７ｂの不透明ストライプ１０ａ、１０ｂ同士が重なり合い、その結果透明ストライプ９ｂ、９ａ同士が重なった箇所から収納ボックス３の内部を透視できる透視位置Ａと、図３（ａ）に示すように一方の透過板の不透明ストライプ１０ａ、１０ｂと他方の透過板の透明ストライプ９ｂ、９ａとが重なり合い、その結果透視パネル１の全面が不透明ストライプ１０ａ、１０ｂで覆われて収納ボックス３の内部が遮蔽される遮蔽位置Ｂとの一方から他方へ移動されるように構成されている。
【００３４】
操作手段８は、可動透過板７ｂを移動させるために手動によって水平方向に直進往復動せしめられる操作ツマミ（操作部）１２を備えている。
【００３５】
また操作手段８は、前記操作ツマミ１２の所定ストロークの直進往復動を可動透過板７ｂの透視位置Ａと遮蔽位置Ｂとの一方から他方への前記ピッチＰ分の上下動に変換させる伝動部１３を備えている。
【００３６】
より具体的には操作手段８は、図３、図４に示すように、下ボックス構造部６４の内部に配されており、直進動カム１４、回動レバー１５、支持板１６を備えている。
【００３７】
支持板１６は、プラスチック成形品であって、下ボックス構造部６４の後面板部に左右一対のビス１７、１７で取付けられている。なお、前記ビス１７を挿通する下ボックス構造部６４に設けられたビス取付孔１８は、水平方向に長い長孔状に形成され、支持板１６の下ボックス構造部６４に対する取付位置を水平方向に調節可能としている。また支持板１６の前面右側下部には直進動カム１４を水平方向に案内するための長溝１９が形成されており、前面左側下部には、回動レバー１５の枢軸部２０を回動自在に支持するための軸受部２１が形成されている。
【００３８】
直進動カム１４は、プラスチック成形品であって、傾斜面２２を上面に有し、下面に操作ツマミ（操作部）１２が一体形成され、側面に前記支持板１６に形成した長溝１９に嵌入し、直進動カム１４が案内されるための突部２３を有している。また下ボックス構造部６４の下面板部に設けたツマミガイド孔２４によって、前記操作ツマミ１２が左右方向に所定ストローク直進往復動できるように案内支持されている。
【００３９】
回動レバー１５は、プラスチック成形品であって、ほぼ三角形状に形成され、その左端下部が前記支持板１６の軸受部２１に嵌合する枢軸部２０となっている。中央部には、可動透過板７ｂの下辺２６に摺動するように接する駆動突部２５が結合され、右端下部は、直進動カム１４の傾斜面２２に摺動するようにして接する被駆動部２７となっている。また前記枢軸部２０の中心から前記被駆動部２７の前記傾斜面２２に接する点（被駆動点）までの距離が、前記中心から前記駆動突部２５の可動透過板下辺２６に接する点（駆動点）までの距離より大、具体的には２倍の長さとなるようになっている。なお図３（ｃ）に示すように、下ボックス構造部６４の前面板部には窓口３０が開設され、前記駆動突部２５がこの窓口３０を通じて下ボックス構造部６４より前方に突出するように構成されている。前記窓口３０は駆動突部２５の自由な動きが確保されるための十分な大きさに形成されている。
【００４０】
前記可動透過板７ｂの下辺２６は前記駆動突部２５上に載置状態で当接し、可動透過板７ｂの自重により常時両者は当接状態を維持している。
【００４１】
また図３（ａ）に示すように、透視パネル１が遮蔽状態のとき、操作ツマミ１２はツマミガイド孔２４の右端に接する第２操作位置Ｋ2にあり、このとき可動透過板７ｂは遮蔽位置Ｂにある。
【００４２】
この操作ツマミ１２を前記ツマミガイド孔２４に沿って左方向へ移動させると、前記被駆動部２７が傾斜面２２に沿って下がり、これに伴い回動レバー１５が枢軸部２０を中心に時計回りに回動して前記駆動突部２５も下方へ回動するため、これに接する可動透過板７ｂは下降する。操作ツマミ１２がツマミガイド孔２４の左端に接する第１操作位置Ｋ1に達したとき、図３（ｂ）に示すように可動透過板７ｂは１ピッチＰ分下降して、透視位置Ａとなる。
【００４３】
なお、枢軸部２０の中心から被駆動部２７の傾斜面２２に接する点までの距離が、前記中心から駆動突部２５の可動透過板下辺２６に接する点までの距離より大とすることで、てこの原理が作用し、操作ツマミ１２の操作力を軽減することができる。
【００４４】
前記可動透過板７ｂは、その上部中央及び下部中央のそれぞれ上下方向に細長い被案内孔（被案内ライン部）４０ａ、４０ｂが形成されている。前記下ボックス構造部６４には下側の被案内孔４０ｂに挿入される下ガイドピン４１が固着されており、上ボックス構造部６３には上側の被案内孔４０ａに挿入される上ガイドピン４２が配設されている。このように構成されたガイド手段により可動透過板７ｂは上下方向移動可能に枠部材１１に案内支持される。
【００４５】
前記上ガイドピン４２は、図３、図５に示すように、前記上側の被案内孔４０ａに対する位置が調整可能となるように構成されている。すなわち上ボックス構造部６３の後面板部と前面板部のそれぞれに同芯の円孔４５ａ、４５ｂを設け、これら円孔４５ａ、４５ｂに円柱体４６を嵌入している。前記円柱体４６は、その前側端面４６ｂの偏心位置に上ガイドピン４２を一体形成し、側面４６ｃにスリット４７を有すると共に後側端面４６ａにタッピング用穴４８（図３（ｃ）参照）を有している。前記円柱体４６は、回転可能に前記円孔４５ａ、４５ｂ周縁に保持されており、円柱体４６を回転することで、上ガイドピン４２の位置を調整可能としている。そして前記円柱体４６を所望の回転位置に回転させた後、タッピング用穴４８にタッピングネジ４９をねじ込んで、拡径状態とすることにより、円柱体４６を上ボックス構造部６３の前面板部および後面板部に固定することができる。
【００４６】
可動透過板７ｂに設けた上下一対の被案内孔４０ａ、４０ｂと枠部材１１に設けた上下一対のガイドピン４１、４２という簡単な構成のもので可動透過板７ｂを上下方向に案内できる。また前記ガイド手段に位置調整機能を備えることにより、次のような問題点を解決することができる。
【００４７】
すなわち、固定透過板７ａに対し可動透過板７ｂが傾斜した状態で組付けられている場合には、透視状態において、固定透過板７ａの不透明ストライプ１０ａに対し可動透過板７ｂの不透明ストライプ１０ｂの両側部が斜めにはみ出して見え、見栄えが悪くなるという欠点があったが、上記構成により可動透過板７ｂの不透明ストライプ１０ｂが固定透過板１０ａのそれに並行（平行）となるように調整することができ、容易に上記欠点を是正することができるのである。
【００４８】
本実施形態によれば、操作手段８の支持板１６の水平方向の取付位置を調整することにより、操作ツマミ１２の第１操作位置Ｋ1あるいは第２操作位置Ｋ2に対する可動透過板７ｂの透視位置Ａ（第１の位置）あるいは遮蔽位置Ｂ（第２の位置）を正確な対応位置に設定することができる。例えば、操作ツマミ１２を図４（ｂ）に示すような第１操作位置Ｋ1に設定した状態で前後の不透明ストライプ１０ａ、１０ｂ間に位置ずれがある場合、前記支持板１６を水平方向に移動させ、前後の不透明ストライプ１０ａ、１０ｂが一致する位置で、前記ビス１７、１７を締結することにより、初期設定位置の調整を行うことができる。このときの伝動部１３の動作を説明する。操作ツマミ１２ひいては直進動カム１４を第１操作位置Ｋ1に保持した状態で、支持板１６を水平方向に移動させると、回動レバー１５は支持板１６と共に水平方向に移動する。このとき回動レバー１５の被駆動部２７が傾斜面２２に沿って上下動し、これに伴い回動レバー１５が枢軸部２０を中心に回動して、駆動突部２５も上下動するので、これに接する可動透過板７ｂも上下動する。そして前後の不透明ストライプ１０ａ、１０ｂが一致する位置で、ビス１７、１７の締結により前記支持板１６を固定することにより、初期設定位置の調整を容易に行うことができる。
一方、操作ツマミ１２が図４（ａ）に示すように第２操作位置Ｋ2に位置いている際に可動透過板７ｂの初期設定位置の調整を行いたい場合、支持板１６を水平方向右手に移動させることによって、行うことができる。このように前記調整作業により容易にその位置ずれを是正して、見栄えが良く透視状態の良い透視パネルとすることができる。
【００４９】
本発明の透視パネルは上記実施形態に示すものの外、種々の形態に構成することができる。
【００５０】
例えば、上記実施形態の可動透過板７ｂは、アクリル板により形成しているが、ガラス板により形成したものを用いてもよい。
【００５１】
また上記実施形態のガイド手段において、可動透過板７ｂにガイドピン（図示せず）を複数設け、前記各ガイドピンが挿入されかつ可動透過板７ｂの移動方向に細長い溝状に形成された案内ライン部（図示せず）を枠部材１１に取付け位置調整可能に設け、可動透過板７ｂが前記案内ライン部により移動方向に案内支持されるように構成してもよい。さらにこれらのガイド手段あるいは、可動透過板７ｂに形成した被案内孔４０ａ、４０ｂと枠部材に設けたガイドピン４１、４２からなるガイド手段に替えて、枠部材１１の左右辺材１１ｃ、１１ｄに案内機構などを設け、これにより可動透過板７ｂを案内支持してもよい。
【００５２】
さらに、固定透過板７ａ及び可動透過板７ｂに形成したストライプの形状を図６（ａ）〜（ｄ）に示すような縦縞状、傾斜縞状、波縞状、格子縞状のストライプにしてもよい。なお図に示す矢印は、可動透過板７ｂの移動方向を示すものである。
【００５３】
上記実施形態は操作手段８の伝動部１３の設定位置を調整して、初期設定位置の調整を行っているが、操作部１２の設定位置を調整して初期設定位置の調整を行うこともできる。例えば、操作ツマミ１２を直進動カム１４に対して別体形成し、その水平方向の直進動カム１４に対する取付位置を調整できるように構成することができる。
【００５４】
また図８に示すように、前記伝動部１３の構造の調整により初期設定位置の調整を行えるように構成してもよい。すなわち、図８に示すように、回動レバー１５の中央部に備えた駆動突部１００を偏心カム構造のものとし、可動透過板７ｂの下辺２６に対する駆動突部１００の駆動点の位置を調整しうるようにすることができる。具体的には、駆動突部１００の円柱状本体１００ａに偏心軸１００ｂを一体に設け、この偏心軸１００ｂの回転位置を自由に設定して前記駆動点の位置を上下方向に調整した後、偏心軸１００ｂに螺合するナット１０２を締結することにより駆動突部１００を前記回動レバー１５に固定しうるように構成すればよい。なお、１０１は支持板１６に設けた切欠き部、１０３は下ボックス構造部６４の後面板部に開設した窓口で、いずれも、前記駆動突部１００の駆動点位置調整作業を容易にするために設けたものである。
【００５５】
また上記実施形態に用いた操作手段８に替えて、図７に示すような操作手段を用いても良い。
【００５６】
図７（ａ）〜（ｃ）に示す操作手段７１は、本実施形態と同様に可動透過板７ｂを上下方向に一定ピッチＰ移動させるものであって、枠部材１１の下ボックス構造部６４に備えられている。この操作手段７１は、可動透過板７ｂの移動方向に対し直角方向に直進動するスライダー７２と、前記スライダー７２に設けた駆動ピン７３及び操作ツマミ（操作部）７４と、前記スライダー７２を案内支持して下ボックス構造部６４に上下方向の取付位置を調整可能として取付けられたスライダーガイド７５と、可動透過板７ｂに形成されその移動方向と直角方向に対し若干傾斜する方向に細長い孔の被駆動ライン部７６とを備えている。前記操作ツマミ７４は下ボックス構造部６４の内面側（後側）において外部に突出し、駆動ピン７３は前記被駆動ライン部７６に挿入され、可動透過板７ｂを支持している。なお、スライダーガイド７５は、下ボックス構造部６４に左右一対のビス７７で取付けられているが、前記ビス７７を挿通する下ボックス構造部６４に設けられたビス取付孔７８は、上下方向に長い長孔状に形成されているため、スライダーガイド７５の下ボックス構造部６４に対する取付位置を上下方向に調節可能としている。なお９９は下ボックス構造部６４の後面板部に設けた操作用長孔であって、その上下方向の幅は前記位置調整を可能とするように操作ツマミ７４の径より大となっている。
【００５７】
上記構成において、前記操作ツマミ７４を水平方向に操作することにより、駆動ピン７３は傾斜している被駆動ライン７６を押下げあるいは押上げることによって、可動透過板７ｂを上下動することができる。なお、前記操作ツマミ７４を操作して、スライダー７２をスライダーガイド７５の案内凹部左端面７５ａに接する第１操作位置Ｋ1に位置させて、可動透過板７ｂを透視位置Ａ（第１の位置）にしたものを図７（ｂ）に示し、スライダー７２をスライダーガイド７５の案内凹部右端面７５ｂに接する第２操作位置Ｋ2に位置させて、可動透過板７ｂを遮蔽位置Ｂ（第２の位置）にしたのものを図７（ａ）に示す。
【００５８】
前記実施形態によれば、操作手段７１のスライダーガイド７５の上下方向の取付位置を調整することにより、操作ツマミ７４の第１操作位置Ｋ1あるいは第２操作位置Ｋ2に対する可動透過板７ｂの透視位置Ａ（第１の位置）あるいは遮蔽位置Ｂ（第２の位置）を正確な対応位置に設定することができる。例えば、操作ツマミ７４を図７（ｂ）に示すような第１操作位置Ｋ1に設定した状態で、前記スライダーガイド７５を垂直方向に移動させ、前後の不透明ストライプ１０ａ、１０ｂが一致する位置で、前記ビス７７、７７を締結することにより、初期設定位置の調整を行うことができる。
【００５９】
さらに前記実施形態と同様に、可動透過板７ｂに被駆動ピンを固定し、スライダーに操作ツマミと、可動透過板７ｂの移動方向と直角方向に対して若干傾斜する方向に長細い溝の駆動ライン部とを設け、前記スライダーをスライダーガイドに備えた構成にし、スライダーガイドを位置調整可能にしてもよい。
【００６０】
また本発明の透視パネルは図１に示すように、間仕切りパネル５５として用いることができる。
【００６１】
【発明の効果】
本発明によれば、前後不透明ストライプ間の位置ずれを防ぎ見栄え良く透視状態の良い透視パネルを低コストで提供することができる。
【図面の簡単な説明】
【図１】システムキッチンを示す概略斜視図。
【図２】本発明の実施形態に係る透視パネルを収納ボックスの扉として用いた斜視図。
【図３】前記透視パネルを示し、（ａ）はその遮蔽状態の一部切り欠き正面図、（ｂ）はその透視状態の一部切り欠き正面図、（ｃ）はその断面図。
【図４】前記透視パネルの操作手段を示し、（ａ）は遮蔽状態の一部切り欠き拡大正面図、（ｂ）は透視状態の一部切り欠き拡大正面図。
【図５】前記透視パネルのガイド手段を示す一部切り欠き拡大斜視図。
【図６】本発明の透視パネルの縞柄の他の態様を示し、（ａ）は縦縞状、（ｂ）は傾斜縞状、（ｃ）は波縞状、（ｄ）は格子縞状の縞柄を示す概念図。
【図７】本発明の他の実施形態に係る透視パネルを示し、（ａ）はその遮蔽状態の一部切り欠き正面図、（ｂ）はその透視状態の一部切り欠き正面図、（ｃ）はその断面図。
【図８】本発明の更に別の実施形態に係る透視パネルの操作手段を示し、（ａ）はその一部切り欠き拡大正面図、（ｂ）はその断面図。
【符号の説明】
１    透視パネル
３    収納ボックス
４    扉
７ａ  固定透過板
７ｂ  可動透過板
８    操作手段
１１    枠部材
１２    操作部
１３    伝動部
１４    直進動カム
１５    回動レバー
２２    傾斜面
４０ａ  被案内ライン部
４０ｂ  被案内ライン部
４１    下ガイドピン
４２    上ガイドピン
７３    駆動ピン
７６    被駆動ライン部
Ａ    第１の位置（透視位置）
Ｂ    第２の位置（遮蔽位置）
Ｋ1   第１操作位置
Ｋ2   第２操作位置
【図１】
0004491933.tif 000002
【図２】
0004491933.tif 000003
【図３】
0004491933.tif 000004
【図４】
0004491933.tif 000005
【図５】
0004491933.tif 000006
【図６】
0004491933.tif 000007
【図７】
0004491933.tif 000008
【図８】
0004491933.tif 000009